(57)【特許請求の範囲】
【請求項１】
流路の延在方向に直列に配列して隣り合う部分が接触して前記流路を流れる状態に、血液の成分を含む検体および凝固活性剤を前記流路に導入する第１工程と、
前記流路の途中に設けられた測定箇所に前記凝固活性剤と前記検体との接触領域が到達した時点で前記凝固活性剤および前記検体の流れを停止し、前記接触領域におけるフィブリンの状態を測定する第２工程と、
測定されたフィブリンの状態により前記検体の血液凝固能を判定する第３工程と
を備え、
前記第２工程では、前記接触領域における表面プラズモン共鳴測定により測定される表面プラズモン共鳴角度の時間変化により判定される前記凝固活性剤と前記検体との界面位置の時間変化により、接触領域におけるフィブリンの状態を測定することを特徴とする血液凝固検査方法。
【請求項２】
流路の延在方向に直列に配列して隣り合う部分が接触して前記流路を流れる状態に、血液の成分を含む検体および凝固活性剤を前記流路に導入する第１工程と、
前記流路の途中に設けられた測定箇所に前記凝固活性剤と前記検体との接触領域が到達した時点で前記凝固活性剤および前記検体の流れを停止し、前記接触領域におけるフィブリンの状態を測定する第２工程と、
測定されたフィブリンの状態により前記検体の血液凝固能を判定する第３工程と
を備え、
前記第２工程では、前記接触領域における透過光強度の時間変化により接触領域におけるフィブリンの状態を測定する
ことを特徴とする血液凝固検査方法。
【請求項３】
請求項１または２記載の血液凝固検査方法において、
前記血液の成分は、血漿であることを特徴とする血液凝固検査方法。
【発明の詳細な説明】
【技術分野】
【０００１】
本発明は、血液や血漿の凝固能を測定する血液凝固検査方法に関するものである。
【背景技術】
【０００２】
血液凝固活性は、外因系の凝固因子の欠損のスクリーニングや肝機能の異常、さらに経口投与による抗凝血薬療法のモニタリングに用いられる指標などを得るための重要な項目である。
【０００３】
このような血液凝固検査には、ＰＴ（プロトロンビン時間：Prothrombin Time）測定法、ＡＰＴＴ（活性化部分トロンボプラスチン時間：Activated Partial Thromboplastin Time）測定法、およびフィブリノゲンテストなどが主に用いられている。これらの測定・テストは、病院内の大型分析装置を用いて実施されている。また、検体血漿と凝固試薬（凝固活性剤）を混合してからマイクロ流路に導入し、凝固反応により不溶化が進み、マイクロ流路における検体血漿および凝固試薬の進行が停止した位置から、血液凝固能を測定する手法も開発されている(特許文献１，特許文献２参照)。
【０００４】
また、発明者らにより、マイクロ流路を備えるチップを用い、表面プラズモン共鳴（ＳＰＲ）測定法で流速を測定することにより凝固活性を検査する方法が提案されている。この検査では、まず、凝固活性化剤（エラグ酸および塩化カルシウム）を混合することによって完全に活性化した血漿試料を測定直前に調製する。次いで、予め緩衝液を満たしてある流路内に調整した血漿試料を導入することで、血漿試料が流路内を進む流速を凝固時間に変換して求めている（特許文献３，特許文献４参照）。
【０００５】
ところで、上述したような血液凝固検査では、凝固活性化剤により血漿中に凝固活性物質を発生させた上で、主にフィブリンから構成される凝固物質に由来する粘性増加による光散乱，光透過特性，粘性増加などを測定している。このため、測定に使用した測定容器は不溶化したタンパク質が非特異的に吸着し、表面が汚染される。特にフィブリンはタンパク質の多くの残渣の同時相互作用を一度に可能とするような分子量の大きなタンパク質であるため、他のタンパク質と比較して非特異吸着力は高い。
【０００６】
このように、血液凝固検査では、検査に用いている流路内などが汚染されて測定誤差を招くため、チップを使い捨ての状態で用いており、１測定当たりの測定コストが嵩み、また、廃棄物が増加するという問題がある。
【０００７】
上述した問題を解消するためには、例えば、流路内を洗浄し、流路内を常に均一で清浄な状態に維持しておくことで、検体毎の測定誤差を無くして正確な測定を可能として繰り返し使用に対応させることが考えられる。このためには、強力な洗浄が必要となり、例えば流路内あるいはマイクロ流路チップ毎にアルカリ洗浄液などのタンパク質除去溶媒に浸す方法、また物理的な手法として、洗浄液の噴射、超音波洗浄などを組み合わせる方法（特許文献５参照）が挙げられる。
【０００８】
しかしながら、洗浄を行っている間は検査ができないため、複数の検査を連続的に行う場合などは、検査のスループットが大幅に低下することになる。上述した方法では、測定において１０秒〜３０秒の反応時間を有するため、この時間が律速となり、スループットの向上を阻害している。また、洗浄を回避するためには、チップの使用を１回に限定し、測定毎に新規のチップとする方法があるが、これでは、測定におけるコストの上昇が問題となる。
【０００９】
上記問題に対し、発明者らにより、直線状のマイクロ流路に検体、凝固活性剤の順に導入し、流路内を検体，接触領域，凝固活性剤の順に移送させ、これらが測定箇所を通過する過程で、凝固活性剤および接触領域の屈折率を時系列的に測定し、測定された凝固活性剤の屈折率である第１屈折率値と、測定された接触領域の第２屈折率値との比較により検体の血液凝固能を測定する方法を提案している（特許文献６参照）。この方法によれば、凝固反応が発生する領域は接触領域に限定され、発生する凝固活性物質の量を抑制できるので、凝固活性物質による汚染が抑制でき、上述した方法に比較してより正確な測定が可能となっている。また、微細な流路内を通過する接触領域周辺の屈折率を測定するのみであるため，測定に必要な時間は非常に短く、測定処理能力を高めることができる。
【先行技術文献】
【特許文献】
【００１０】
【特許文献１】欧州特許第０３９４０７０号公報
【特許文献２】特開２０１１−２３２１３７号公報
【特許文献３】特開２０１１−２３２１３７号公報
【特許文献４】特開２０１３−０５３９５９号公報
【特許文献５】特開２０１０−１３３７２７号公報
【特許文献６】特開２０１４−２２８４３３号公報
【特許文献７】特開２０１４−２２８４３２号公報
【非特許文献】
【００１１】
【非特許文献１】納谷  昌之  他、「プリズム一体型チップを用いる高Ｓ/Ｎ ＳＰＲセンサ」、FUJIFILM RESEARCH & DEVELOPMENT、NO.50, pp.51-54, 2005.
【非特許文献２】M. van Geffen, W. L. van Heerde, "Global haemostasis assays, from bench to bedside", Thrombosis Research, vol.129, pp.681-687, 2012.
【非特許文献３】http:/www.info.pmda.go.jp/downfiles/md/PDF/480585/480585_28B2X10007000090_A_01_01.pdf
【発明の概要】
【発明が解決しようとする課題】
【００１２】
しかしながら、上述した測定技術では、測定結果が流速の変動により変化するため、高い測定精度を得るためには、高い精度で流速を制御する必要があり、測定が容易ではなく、装置コストがかかるなどの問題があった。
【００１３】
本発明は、以上のような問題点を解消するためになされたものであり、より容易な測定により、血液や血漿の凝固能がより高い精度で検査できるようにすることを目的とする。
【課題を解決するための手段】
【００１４】
本発明に係る血液凝固検査方法は、流路の延在方向に直列に配列して隣り合う部分が接触して流路を流れる状態に、血液の成分を含む検体および凝固活性剤を流路に導入する第１工程と、流路の途中に設けられた測定箇所に凝固活性剤と検体との接触領域が到達した時点で凝固活性剤および検体の流れを停止し、接触領域におけるフィブリンの状態を測定する第２工程と、測定されたフィブリンの状態により検体の血液凝固能を判定する第３工程とを備える。
【００１５】
上記血液凝固検査方法において、第２工程では、接触領域における表面プラズモン共鳴測定により測定される表面プラズモン共鳴角度の時間変化により判定される凝固活性剤と検体との界面位置の時間変化により、接触領域におけるフィブリンの状態を測定する。
【００１６】
上記血液凝固検査方法において、第２工程では、接触領域における透過光強度の時間変化により接触領域におけるフィブリンの状態を測定する。
【００１７】
上記血液凝固検査方法において、血液の成分は、血漿である。
【００１８】
以上説明したように、本発明によれば、流路の途中に設けられた測定箇所に凝固活性剤と検体との接触領域が到達した時点で凝固活性剤および検体の流れを停止し、接触領域におけるフィブリンの状態を測定するようにしたので、より容易な測定により、血液や血漿の凝固能がより高い精度で検査できるという優れた効果が得られる。
【図面の簡単な説明】
【００１９】
【図１】図１は、本発明の実施の形態における血液凝固検査方法を説明するためのフローチャートである。
【図２Ａ】図２Ａは、測定チップ２００およびＳＰＲ装置２２０の構成を示す斜視図である。
【図２Ｂ】図２Ｂは、測定チップ２００の構成を示す断面図である。
【図３】図３は、ＳＰＲ測定による血液凝固検査方法を説明する説明図である。
【図４】図４は、マイクロ流路に凝固活性剤を供給し始めてからのＳＰＲ測定結果を示す特性図である。
【図５】図５は、流路に凝固活性剤を導入した後、標準検体を導入してＳＰＲ測定による測定を実施した結果を示す特性図である。
【図６】図６は、流路に凝固活性剤を導入した後、低凝固能検体を導入してＳＰＲ測定による測定を実施した結果を示す特性図である。
【図７】図７は、流路に凝固活性剤を導入した後、血清を導入してＳＰＲ測定による測定を実施した結果を示す特性図である。
【図８】図８は、ＳＰＲ角度の分布から判断される界面位置（導入口から界面までの距離）の経過時間をプロットした結果を示す特性図である。
【図９】図９は、接触領域における透過光強度の時間変化により接触領域におけるフィブリンの状態を測定するための装置構成を示す構成図である。
【発明を実施するための形態】
【００２０】
以下、本発明の実施の形態について図を参照して説明する。図１は、本発明の実施の形態における血液凝固検査方法を説明するためのフローチャートである。この検査方法は、まず、第１工程Ｓ１０１で、流路の延在方向に直列に配列して隣り合う部分が接触して流路を流れる状態に、血液の成分を含む検体およびフィブリンを生産させる凝固活性剤を流路に導入する。凝固活性剤は、トロンボモジュリン，エラグ酸，カオリン，セライトなどの接触因子を活性化する化学物質およびカルシウムイオンを含む。また、流路は、例えば、ポリジメチルシロキサン（ＰＤＭＳ）などの材料から構成された測定チップに形成されているマイクロ流路である。
【００２１】
次に、第２工程Ｓ１０２で、流路の途中に設けられた測定箇所に凝固活性剤と検体との接触領域が到達した時点で凝固活性剤および検体の流れを停止し、接触領域におけるフィブリンの状態を測定する。接触領域における光学的な測定方法によりフィブリンの状態を測定すれば良い。次に、第３工程Ｓ１０３で、測定されたフィブリンの状態により検体の血液凝固能を判定する。
【００２２】
第２工程Ｓ１０２では、例えば、接触領域における表面プラズモン共鳴（ＳＰＲ）測定により測定される表面プラズモン共鳴（ＳＰＲ）角度の時間変化により判定される凝固活性剤と検体との界面位置の時間変化により、接触領域におけるフィブリンの状態を測定すればよい。
【００２３】
血漿などの血液成分を含む検体と凝固活性剤との接触領域では、接触領域を挟み凝固活性剤の溶液と検体の溶液との間で様々な分子が拡散する中で、検体中に含まれるプロトロンビンがトロンビンに変換され、産生されたトロンビンがフィブリノゲンを不溶性タンパク質であるフィブリンに変換する。このようにして生成されるフィブリンの量は、検体に含まれていたフィブリノゲンが全て消費されるまで時間の経過と共に増加していく。
【００２４】
上述したように、流れが停止されている状態の接触領域でフィブリンが生成される過程において、ＳＰＲ測定により判定される凝固活性剤と検体との界面位置が、時間経過と共に変化する。この変化の状態は、フィブリンの生成量（検体に含まれていたフィブリンの量）に対応しており、ＳＰＲ測定により判定される界面位置の時間変化より、血液凝固能を判定することができる。
【００２５】
なお、測定の後、産生されたフィブリンは、ポンプ圧を高めるなどにより速やかに流路内から排出させ、また、流路内を洗浄することなどにより、流路内への固着を防ぐようにするとよい。測定終了後に行う洗浄は、洗浄液を流路に通過させることにより可能である(特許文献７参照）。例えば、１％次亜塩素酸ナトリウムおよび０．１％のオクチルフェノールエトキシレート（オクトキシノール）を洗浄液として流路に通過させた後に、水を３回導入して流路内部をリンス処理すればよい。
【００２６】
上述したＳＰＲ測定は、例えば、図２Ａ，図２Ｂに示す測定チップ２００およびＳＰＲ装置２２０を用いることで実施できる。測定チップ２００は、ＢＫ７ガラスからなる基板２０１と、膜厚５０ｎｍ程度のＡｕ層２０２と、流路基板２０３とから構成されている。Ａｕ層２０２は、例えば、スパッタリング法などのよく知られた堆積技術により形成すればよい。
【００２７】
また、流路基板２０３は、マイクロ流路２０４となる溝部，導入口２０５，および排出口２０６を備える。例えば、ＰＤＭＳから流路基板２０３を形成すればよい。溝部は、幅１ｍｍ、深さ（高さ）４００μｍ程度とすればよい。また、導入口２０５の口径は、３ｍｍとし、排出口２０６の口径は、１．５ｍｍとした。これらは、例えば、よく知られた生検トレパンにより形成すればよい。また、基板２０１と流路基板２０３とは個別に作製し、最後に、マイクロ流路２０４が測定領域に重なるように測定チップ２００を組み立てた。
【００２８】
Ａｕ層２０２を形成した基板２０１および流路溝を形成した流路基板２０３の各々の貼り合わせ面を、酸素ガスのプラズマ（反応イオン）の照射により活性化させた後、各々の貼り合わせ面を当接させて貼り合わせることで、両者を一体とした。プラズマの照射は、プラズマ処理装置の処理室内で実施する。プラズマは、出力７０Ｗのマイクロ波により生成し、また、処理室内には酸素を１００ｓｃｃｍで供給し、処理室内における酸素分圧は１０Ｐａとした。なお、ｓｃｃｍは流量の単位であり、０℃・１０１３ｈＰａの流体が１分間に１ｃｍ3流れることを示す。また、プラズマの照射は、５秒程度実施した。
【００２９】
また、排出口２０６には、負圧機構２０７が接続され、マイクロ流路２０４内の液体を、排出口２０６を介して牽引（吸引）可能としている。負圧機構２０７は、例えば、ステンレスパイプで接続された廃液タンクおよび負圧ポンプ（ＭＦＣＳ−ＶＡＣ，Ｆｌｕｉｇｅｎｔ社製）などから構成されている。
【００３０】
測定においては、ＳＰＲ装置２２０の測定プリズム２２２に形成されている測定面２２３上に、屈折率がＢＫ７ガラスと等しいマッチングオイル（不図示）を塗布し、この上に測定チップ２００の基板２０１裏面を配置する。また、ＳＰＲ装置２２０の光源２２１から出射される光の光軸上に、測定チップ２００の測定領域が重なる状態に配置する。ＳＰＲ装置２２０は、例えば、エヌ・ティ・ティ・アドバンステクノロジ株式会社製の「Ｓｍａｒｔ  ＳＰＲ  ＳＳ−１００」である。
【００３１】
光源２２１から出射された光を、シリンドリカルレンズ（不図示）などにより長さ４．８ｍｍのライン状に集光してプリズム２２２に入射させ、プリズム２２２の測定面２２３に密着させている測定チップ２００の測定領域に照射する。測定チップ２００の測定領域となるマイクロ流路２０４にはＡｕ層２０２が形成されており、Ａｕ層２０２の裏面に、測定チップ２００を透過してきた集光光が照射される。
【００３２】
このようにして照射された集光光は、流速測定対象の流体が接触したＡｕ層２０２の裏面で反射し、いわゆるＣＣＤイメージセンサーなどの撮像素子よりなるセンサー２２４で光電変換されて強度（光強度）が得られる。センサー２２４は、例えば、４８０ピクセルの受光部を備えるライン型の撮像素子である。このようにして得られた光強度の変化により屈折率の変化が求められる。
【００３３】
次に、測定チップ２００を用いた測定について図３を用いて説明する。マイクロ流路２０４に、まず、３７℃で１分間加熱したトロンビン凝固活性剤３１１（１０マイクロリットル）を供給して満たす。例えば、図３の（ａ）に示すように、マイクロシリンジ３２１により、トロンビン凝固活性剤３１１を導入口２０５に供給し、図３の（ｂ）に示すように、マイクロ流路２０４内が、トロンビン凝固活性剤３１１で満たされ、導入口２０５が空になった状態とする。
【００３４】
次に、導入口２０５が空になったことを確認した後、図３の（ｃ）に示すように、自動分注装置３２２などを用い、３７℃で１分加熱した１マイクロリットルの検体３１２を導入口２０５に連続的に滴下し、マイクロ流路２０４の他端の排出口２０６より、負圧機構２０７により一定の圧力（負圧）で凝固活性剤３１１を牽引する。
【００３５】
これらのことにより、図３の（ｄ）に示すように、マイクロ流路２０４内に、凝固活性剤３１１と検体３１２とが接触する接触領域３１３を形成する。接触領域３１３は、導入口２０５に検体３１２が滴下されると、マイクロ流路２０４の導入口２０５側の開口端で形成される。形成された接触領域３１３は、負圧機構２０７による牽引で、トロンビン凝固活性剤３１１および検体３１２ともに、マイクロ流路２０４内を他端の方向に輸送される。この牽引を途中で停止し、マイクロ流路２０４内の液体の輸送を停止させることで、接触領域３１３の移動を停止させ、マイクロ流路２０４内の所定箇所に、接触領域３１３を配置する。牽引を停止して液体の輸送を停止すれば、接触領域３１３の移動も停止することは確認している。
【００３６】
ここで、接触している接触領域３１３では、検体３１２に凝固活性剤３１１が添加されることになり、接触領域３１３では、凝固反応が起こり得る状態となっている。このため、上述したように、凝固活性剤３１１と検体３１２が接触して接触領域３１３が形成された時点より、接触領域３１３では、凝固反応が開始される。また、この凝固反応は、マイクロ流路２０４内の所定箇所に接触領域３１３を配置された後も継続していくことになる。
【００３７】
上述したように、検体３１２の先端と凝固活性剤３１１の終端とが接触して接触領域３１３を形成し、これらが図３の（ｄ）に示すようにマイクロ流路２０４内の所定箇所に配置されている状態で、マイクロ流路２０４内の接触領域３１３が含まれる領域の屈折率（ＳＰＲ角度）の時間変化を測定する。より詳細には、マイクロ流路２０４の導入口２０５側の開口端から接触領域３１３の停止（配置）位置までの領域（測定領域）における、ＳＰＲ角度の時系列変化を測定する。測定領域に、センサー２２４の検出領域を対応させればよい。センサー２２４の検出領域には、複数（４８０個）のフォトダイオード素子が、流路２０４の延在方向に１０μｍ間隔で並んで配置されており、測定領域では、各フォトダイオード素子の位置（ピクセル位置）毎に、光強度の変化（ＳＰＲ角度）が測定される。
【００３８】
なお、基板２０１の屈折率をｎ、Ａｕ層２０２の誘電率をεｍ、試料の誘電率をεｓ、基板２０１とＡｕ層２０２との界面に入射する光の入射角度をθとすると、「ｎ（ω/ｃ）ｓｉｎθ＝（ω/ｃ）［εｍ×εｓ/（εｍ＋εｓ）］1/2」が成り立つ条件の時に、入射角度と、基板２０１とＡｕ層２０２との界面に誘起されるプラズモンの共鳴が起こる（非特許文献１参照）。この角度θが、ＳＰＲ角度である。
【００３９】
また、プラズモンの共鳴が起きると反射する光が減衰するため、この状態がセンサー２２４のいずれかのフォトダイオード素子の検出値の変化として現れる。従って、検出光強度が低下したフォトダイオード素子のピクセル位置（ピクセル値）により、ＳＰＲ角度が求められる。また、上記ピクセル値より、例えば、「屈折率値＝ピクセル値×１．２７３９×１０-4＋１．３１８８（光源波長７７０ｎｍ）」などの換算式により、屈折率値が得られる。
【００４０】
ここで、以下に示すＳＰＲ測定を用いた血液凝固検査では、流路最上流点から、ＳＰＲ角度の時間変化により判定される凝固活性剤と検体との界面位置までの距離により、検体の凝固活性度を判定している。
【００４１】
まず、マイクロ流路に凝固活性剤を供給し始めてからのＳＰＲ測定において、測定されるＳＰＲ角度が急激に増加している箇所を、マイクロ流路の導入口側の開口端である流路最上流点としている。例えば、図４に示す測定結果が得られた場合、検出領域開始点より２０ピクセル（０．０１×２０＝０．２ｍｍ）の箇所に、流路最上流点が存在していることが分かる。
【００４２】
次に、ＳＰＲ角度の時間変化による凝固活性剤と検体との界面位置の判定について説明する。まず、マイクロ流路最上流地点において、２液目である検体の導入開始時刻を屈折率変化開始時間から算出する。次に、検体の導入開始時点から５秒、７．５秒、１０秒、１２．５秒、１５秒経過した時点で測定された流路内のＳＰＲ角度を参照し、各時点において単純移動平均平滑化を適用する。平滑化したデータにおいて、下流からみて１ピクセル毎の変化量が、導入直後の下流１００ピクセル間のＳＰＲ誤差よりも大きくなる地点（本検討の場合＞０．３を適用）となる地点を算出し、この地点を界面の位置とした。
【００４３】
次に、実際の測定結果をもとに、ＳＰＲ測定による血液凝固検査について説明する。以下では、流路に凝固活性剤を導入した後、検体を導入して測定を実施している。また、標準検体（活性度８６％），標準検体を希釈して異なる活性（活性度３３％相当）とした低凝固能検体、活性度が０％の血清の各々について測定を実施した。測定の結果を、図５，図６，図７に示す。図５は、標準検体の測定結果を示し、図６は、低凝固能検体の測定結果を示し、図７は、血清の測定結果を示している。
【００４４】
また、各図において、（ａ）は、ＳＰＲ装置の検出領域で検出された時間経過によるＳＰＲ角度推移の全体の状態を示している。また、各図において、（ｂ）は、検体を導入した直後（０ｓｅｃ．）、５秒後、１０秒後、１５秒後の各時点における、測定領域（検出領域）の各位置におけるＳＰＲ角度を示す。なお、「検体導入」の時点より所定の時間経過後、「水導入」の時点で、導入口より水を導入して流路内より凝固活性剤，検体などを排出させている。
【００４５】
導入した検体の容量から考えて、接触領域は、検出領域の３４０ピクセル以上には移動せずに停止している。しかしながら、測定されるＳＰＲ角度の分布から判断される界面は、時間の経過と共に移動している。これは、流路内の流れを停止しても、接触領域を阪井に凝固活性剤と検体との間の分子の拡散が生じるためである。この界面の移動状態（移動度）は、接触領域で生じるフィブリンの生産効率により変化する。
【００４６】
不溶性のフィブリンの生産効率が高いほど、上述した分子の拡散が阻害され、測定されるＳＰＲ角度の分布から判断される界面の移動が発生しにくい（移動速度が遅い）ものと考えられる。例えば、図５に示すように、フィブリンの生産効率が最も高い標準検体の場合、判断される界面は１０秒経過以降ほぼ移動していない。これに対し、フィブリンが全く生産されない血清の場合、図７に示すように、障害物がないため、１０秒経過以降も大きく移動している。
【００４７】
上述したように、ＳＰＲ測定の場合、ＳＰＲ角度の分布から判断される界面の移動の状態（ＳＰＲ角度の時間変化により判定される凝固活性剤と検体との界面位置の時間変化）により、検体の凝固能が検査できる。
【００４８】
上述したＳＰＲ角度の分布から判断される界面位置（導入口から界面までの距離）の経過時間をプロットした結果を図８に示す。図８に示すように、凝固活性が高いほど、導入口から界面までの距離が短いことが分かる。このように、ＳＰＲ角度の時間変化により判定される凝固活性剤と検体との界面位置の移動した距離を測定することにより、検体の凝固活性度を算出することができる。
【００４９】
ところで、第２工程における接触領域におけるフィブリンの状態の測定は、上述したＳＰＲ測定に限るものではない。例えば、接触領域における透過光強度の時間変化により接触領域におけるフィブリンの状態を測定することもできる。
【００５０】
図９に示すように、光が透過する材料から構成されたマイクロ流路４０１と、マイクロ流路４０１を横切る光を出射する光源４０２と、光源４０２から出射して、マイクロ流路４０１の検出箇所４１１を透過した光を検出する検出部４０３とを備える測定装置を用いれば良い。マイクロ流路４０１に、マイクロ流路４０１の延在方向に直列に配列して隣り合う部分が接触して流れる状態に、検体２１および凝固活性剤４２２を導入し、測定箇所４１１に接触領域４２３が到達した時点で流れを停止する。この状態で、光源４０２から出射して接触領域４２３を透過した光の状態（光強度の時間変化）を検出部４０３により検出（測定）する。
【００５１】
フィブリンは水に不溶であり、フィブリンが生成されることにより接触領域４２３の光学特性が変化し、生成されるフィブリンの増加と共に、接触領域４２３における透過光強度が変化する。従って、検出部４０３で測定される透過光強度の変化は、フィブリンの生成量（検体に含まれていたフィブリンの量）に対応しており、接触領域４２３の透過光強度変化により血液凝固能を判定することができる（非特許文献２，非特許文献３参照）。
【００５２】
以上に説明したように、本発明によれば、流路の途中に設けられた測定箇所に凝固活性剤と検体との接触領域が到達した時点で凝固活性剤および検体の流れを停止し、接触領域におけるフィブリンの状態を測定するようにした。この結果、測定結果が、流速変動の影響を受けることが全くない。また、接触領域を移動させずに停止させているので、短い測定箇所であっても、長い時間をかけて測定することが可能となり、より長い時間における反応の状態が確認できるようになる。これにより、十分な凝固反応を起こさせた状態の測定が可能となる。このように、本発明によれば、より容易な測定により、血液や血漿の凝固能がより高い精度で検査できるようになる。
【００５３】
また、不溶化成分であるフィブリンによる汚染を流路内部に大きく拡散せずに最小限の駆動力で凝固能を調べることができ、汚染を小さくとどめることができる。このため、流路内に洗剤を導入するだけで洗浄を完了させることができるなど、洗浄がより容易となり、チップの繰り返し使用がより実現的になる。
【００５４】
なお、本発明は以上に説明した実施の形態に限定されるものではなく、本発明の技術的思想内で、当分野において通常の知識を有する者により、多くの変形および組み合わせが実施可能であることは明白である。例えば、本発明は、主要凝固測定項目（ＰＴ測定，ＡＰＴＴ測定，Ｆｉｂ測定）において適応可能である。
【符号の説明】
【００５５】
２０１…基板、２０２…Ａｕ層、２０３…流路基板、２０４…マイクロ流路、２０５…導入口、２０６…排出口、２０７…負圧機構、２２１…光源、２２２…測定プリズム、２２２３…測定面、２２４…センサー。
【図１】
0006466801.tif 000002
【図２Ａ】
0006466801.tif 000003
【図２Ｂ】
0006466801.tif 000004
【図３】
0006466801.tif 000005
【図４】
0006466801.tif 000006
【図５】
0006466801.tif 000007
【図６】
0006466801.tif 000008
【図７】
0006466801.tif 000009
【図８】
0006466801.tif 000010
【図９】
0006466801.tif 000011